(57)【要約】      （修正有）【課題】携帯電話の取り出し及び挿入が容易であり、携帯電話を収納可能とする衣服ポケットを提供する。【解決手段】ズボン１０の後身頃１３上に設けた後ポケット１２のポケット内部の後身頃１３側に携帯電話を収納する略袋状の収納用内ポケット１１を配設したことを特徴とする携帯電話の衣服ポケットである。これにより、収納用内ポケット１１を後ポケット１２の内部に配置する構成とすることができ、収納用内ポケット１１が後ポケット１２で隠れている状態とすることができ、収納用内ポケット１１を設けても通常のズボン１０と同様の見栄えにすることができる。【選択図】図１
0003173538.tif 000002
【実用新案登録請求の範囲】
【請求項１】
ズボンの後身頃上に設けた後ポケットのポケット内部の後身頃側に携帯電話を収納する略袋状の収納用内ポケットを配設したことを特徴とする携帯電話の衣服ポケット。
【請求項２】
前記収納用内ポケットの周縁側部にひだ折り部を配設したことを特徴とする請求項１に記載の携帯電話の衣服ポケット。
【請求項３】
前記収納用内ポケットは、その開口部側の生地を他の部分の生地よりも厚く形成したことを特徴とする請求項１又は請求項２に記載の携帯電話の衣服ポケット。
【請求項４】
前記収納用内ポケットは、後ポケットのポケット内部の後身頃側に後付けが可能とする後付け材をその側縁に設けたことを特徴とする請求項１〜請求項３のいずれか１項に記載の携帯電話の衣服ポケット。
【請求項５】
前記収納用内ポケットは、その本体をズボンの生地と異なる生地で形成したことを特徴とする請求項１〜請求項４のいずれか１項に記載の携帯電話の衣服ポケット。
【考案の詳細な説明】
【技術分野】
【０００１】
本考案は、ズボンの後ポケットに携帯電話を収納可能とする携帯電話の衣服ポケットに関する。
【背景技術】
【０００２】
現在、携帯電話は個人が常に携行する個人の必需品となっている。携帯電話の形状の変革は凄まじく、最近では手の平サイズに収まるような大きさになり、また、本体の厚みなども薄くなってきている。そのような携帯電話を携行する場合、通常はバックに入れたり、携帯電話用アクセサリを使用して携帯電話を首から吊るして身に付けたりしている。
【０００３】
上記のようなバックなどの入れ物がない状態でも簡単に携帯電話を挿入可能な衣服ポケットの考案がなされている（例えば、特許文献１に記載の衣服ポケット）。この特許文献１には、携帯電話を収納する場合には後ポケットの外部に出し、携帯電話を収納しない場合には後ポケットの内部に格納する衣服ポケットが開示されている。
【先行技術文献】
【特許文献】
【０００４】
【特許文献１】登録実用新案第３０２５２１０号公報
【考案の概要】
【考案が解決しようとする課題】
【０００５】
ところが、従来のズボンの後ポケットにそのまま携帯電話を入れた状態では、携帯電話が後ポケットの奥下まで入り込んでしまい、この状態で、座ったり、屈んだりすると、携帯電話を臀部で踏みつけるような状態となって、携帯電話が湾曲して破損するおそれを有していた。
【０００６】
また、前記特許文献１に記載の衣服ポケットでは、携帯電話を収納する場合のみ袋状布４３を後ポケット４２から取り出して携帯電話を収納するような構造になっているので、携帯電話を入れた状態では見栄えが悪くなってしまう。
【０００７】
この考案は、携帯電話の取り出し及び挿入が容易であり、携帯電話を収納可能とする衣服ポケットを提供することを目的とする。
【課題を解決するための手段】
【０００８】
そこで、請求項１に記載の考案は、ズボンの後身頃上に設けた後ポケットのポケット内部の後身頃側に携帯電話を収納する略袋状の収納用内ポケットを配設したことを特徴とする携帯電話の衣服ポケットである。
【０００９】
請求項２に記載の考案は、前記収納用内ポケットの周縁側部にひだ折り部を配設したことを特徴とする請求項１に記載の携帯電話の衣服ポケットである。
【００１０】
請求項３に記載の考案は、前記収納用内ポケットは、その開口部側の生地を他の部分の生地よりも厚く形成したことを特徴とする請求項１又は請求項２に記載の携帯電話の衣服ポケットである。
【００１１】
請求項４に記載の考案は、前記収納用内ポケットは、後ポケットのポケット内部の後身頃側に後付けが可能とする後付け材をその側縁に設けたことを特徴とする請求項１〜請求項３のいずれか１項に記載の携帯電話の衣服ポケットである。
【００１２】
請求項５に記載の考案は、前記収納用内ポケットは、その本体をズボンの生地と異なる生地で形成したことを特徴とする請求項１〜請求項４のいずれか１項に記載の携帯電話の衣服ポケットである。
【考案の効果】
【００１３】
請求項１に記載の考案によれば、ズボンの後身頃上に設けた後ポケットのポケット内部の後身頃側に携帯電話を収納する略袋状の収納用内ポケットを配設しているので、収納用内ポケットを後ポケットの内部に配置する構成とすることができ、収納用内ポケットが後ポケットで隠れている状態とすることができ、収納用内ポケットを設けても通常のズボンと同様の見栄えにすることができる。
【００１４】
また、請求項１に記載の考案によれば、収納用内ポケットを後ポケットの開口部側に配設することで、収納用内ポケット内の携帯電話を後ポケット内部の上側に位置させることになり、座った状態において携帯電話が湾曲するのを防止することができる。しかも、後ポケットの開口側に配設しているので、容易に携帯電話を取り出せる効果を有する。
【００１５】
請求項２に記載の考案によれば、前記収納用内ポケットの側部にひだ折り部を配置しているので、幅の大きさに関係なく携帯電話を収納することができる。また、携帯電話を収納しない場合には、ひだ折り部を畳むことができ、外から収納用内ポケットの存在が目立つことなく、通常のズボンとの見栄えと同様にすることができる。
【００１６】
請求項３に記載の考案によれば、前記収納用内ポケットの上部に上部以外の生地よりも厚い生地を配設しているので、厚みが厚い生地により収納用内ポケットの位置を手の感触で知ることができ、携帯電話を挿入しやすくすることができる。
【００１７】
請求項４に記載の考案によれば、前記収納用内ポケットは、後ポケットの内周部に後付け可能とする取付部を備えるので、通常のズボンを加工することなく、容易に後付することができる。後付は、アイロンによる熱圧着が可能な例えば裾上げテープ等の熱圧着テープにより行うことができる。
【００１８】
請求項５に記載の考案によれば、前記収納用内ポケットは、ズボンの生地と異なる生地で配設したので、携帯電話を挿入したい場合での後ポケット内部での収納用内ポケットの位置を確認しやすくすることができる。
【図面の簡単な説明】
【００１９】
【図１】本実施形態における携帯電話の収納用内ポケットを備えたズボンの全体構成を示した斜視図である。
【図２】本実施形態における携帯電話の収納用内ポケットの全体構成を示した斜視図である。
【図３】左右側縁にひだ折り部を配設した携帯電話の収納用内ポケットの全体構成を示した斜視図であり、（ａ）は折り畳んだ状態の収納用内ポケットを示した斜視図であり、（ｂ）は膨らんだ状態の収納用内ポケットを示した斜視図である。
【図４】本実施形態における携帯電話の収納用内ポケットに挿入した人が立った状態を示した説明図であり、（ａ）はその斜視図であり、（ｂ）はその断面図である。
【図５】本実施形態における携帯電話の収納用内ポケットに挿入した人が着席した状態を示した説明図である。
【図６】本実施形態における熱圧着テープで収納用内ポケットを取り付ける方法を説明する説明図であり、（ａ）は取付前の状態を説明する説明図であり、（ｂ）は取付後の状態を説明する説明図である。
【図７】本実施形態における熱圧着布で収納用内ポケットを取り付ける方法を説明する説明図であり、（ａ）は取付前の状態を説明する説明図であり、（ｂ）は取付後の状態を説明する説明図である。
【考案を実施するための形態】
【００２０】
まず、本実施形態における携帯電話の衣服ポケットの構成について図１を参照して説明する。
【００２１】
本実施形態における携帯電話２０を収納する収納用内ポケット１１（携帯電話の衣服ポケット）は、ズボン１０の後ポケット１２内部に配設するものである。ここで、収納用内ポケット１１を配設するズボン１０は、スラックス、作業用ズボン、ジーパン等が挙げられる。
【００２２】
図１に示すように、ズボン１０の左右の後身頃１３の少なくともいずれかに後ポケット１２を備え、その後ポケット１２内部に収納用内ポケット１１を設けている。後ポケット１２は、上端が開口された略袋状であり、その後ポケット１２の内部に上端に開口部１８ａを有する略袋状の収納用内ポケット１１を設けている。
【００２３】
収納用内ポケット１１は、図２に示すように、所定の生地を用いて略矩形に形成され、これを底部側縁１６及び左右側縁１７を後身頃１３と縫製することで、その上端に開口部１８ａを有する略袋状としている。
【００２４】
収納用内ポケット１１は、特に、開口部１８の周縁部を糸で縫製することで、多少の力が加わっても解れないようにすることができる。また、鳩目のような環状の部材を設けることにより開口部１８の周縁部を補強するようにしてもよい。
【００２５】
また、収納用内ポケット１１は、ズボン１０の後ポケット１２内部において、後ポケット１２の開口部１８ｂ側に配設している。図１に示すように、例えば、後ポケット１２の開口部１８ｂから略１ｃｍ下方に収納用内ポケット１１の開口部１８ａが位置するようにしている。
【００２６】
このように、収納用内ポケット１１を後ポケット１２の開口部１８ｂ側に位置させることで、携帯電話２０の取り出しを容易にし、収納した携帯電話２０をなるべく臀部下部の丸み部分に位置させないようにしている。
【００２７】
収納用内ポケット１１は、図３（ｂ）に示すように、左右側縁１７にひだ折り部１４を有するものも適用することができる。このように、収納用内ポケット１１は左右側縁１７にひだ折り部１４を有することで、開口したときのその断面の大きさが底部側縁１６の縫製部の大きさよりも大きくなっている。このように、ひだ折り部１４を配設した左右側縁１７を設けることで、大きく開口することができ、厚みの異なる携帯電話２０を収納可能としている。
【００２８】
なお、図３（ａ）に示すように、携帯電話２０を収納していない状態では、収納ポケットは、後ポケット１２内部において折り畳んだ状態になっている。これにより、後ポケット１２内の収納スペースを増やすようにしている。
【００２９】
収納用内ポケット１１は、図１に示すように、後ポケット１２側ではなく、後身頃１３側に配置している。このように、後身頃１３側に配置しているので、携帯電話２０がマナーモード時の振動が人体側に伝わりやすくなり、携帯電話２０を収納用内ポケット１１に収納した状態でも着信時に直ぐに通話することができる。
【００３０】
また、図２に示すように、収納用内ポケット１１の上部に上部以外の生地よりも厚い生地で形成している。このように、収納用内ポケット１１の上部に厚い生地で形成しているので、後ポケット１２の内部を手探り探している場合に、厚い生地の感触をつかむことができ、収納用内ポケット１１の位置を直ぐに確認することができる。
【００３１】
また、収納用内ポケット１１の開口部の生地を開口部以外の生地よりも厚くすることで、開口部１８ａが塞ぐのを防止することができ、携帯電話２０を挿入しやすくしている。
【００３２】
さらに、前記収納用内ポケット１１は、ズボン１０の生地と異なる生地で配設することも可能である。このように、収納用内ポケット１１はズボン１０の生地と異ならせているので、収納用内ポケット１１の存在を目立たせることができ、また、携帯電話２０を挿入したい時に収納用内ポケット１１の位置を直ぐに知ることができる。
【００３３】
収納用内ポケット１１は、ズボン１０製作時に配設することもできるし、後付けにより配設することもできる。後付けは、以下の方法により取り付けることができる。
【００３４】
まず、図６に示すように、矩形状の収納用内ポケット１１の本体１５を形成し、その本体１５上に底部側縁１６及び左右側縁１７に熱圧着テープ１９ａをそれぞれ配置する。このとき、熱圧着テープ１９ａ（後付け材）の半分は後身頃１３にかかり、もう半分は本体１５にかかるようにした。熱圧着テープ１９ａの裏面側には、アイロンの熱により溶けて接着剤として機能する接着剤が塗布されている。次に、その熱圧着テープ１９ａにアイロンをかける。これにより、その接着剤がアイロンの熱で溶け、後身頃１３に本体１５を接着させることで収納用内ポケット１１を形成することができる。
【００３５】
または、図７に示すように、まず、収納用内ポケット１１の本体１５の裏面には、熱圧着アイロンの熱で溶ける接着剤１９ｂが塗布されている。接着剤１９ｂは、左右側縁１７と底部側縁１６の部分に沿うように、略１．５ｃｍ幅のＵ字形状を有するように塗布されている。そして、接着剤１９ｂが塗布された本体１５を後身頃１３上に配置する。
【００３６】
この後、本体１５の上からアイロンを当てると、アイロンの熱で接着剤１９ｂが溶ける。このようにして、本体１５をズボン１０の後身頃１３に接着させることができ、収納用内ポケット１１を形成することができる。
【００３７】
また、図７に示すような接着剤が塗布された本体１５を、後付で取り付けることができる後付けキットとすることもできる。
【００３８】
本実施形態における収納用内ポケット１１を使用すると、図４（ａ）及び図４（ｂ）に示すように、ズボン１０の後ポケット１２内の収納用内ポケット１１に携帯電話２０を収納した状態では、携帯電話２０が収納用内ポケット１１の開口部から少し頭を出した状態となるので、通話した場合に直ぐに携帯電話２０を取り出せるようになっている。また、携帯電話２０を収納した状態でも、収納用内ポケット１１が後ポケット１２の内周部に配設しているので、収納用内ポケット１１の存在を目立つことなく通常のズボン１０と同様の見栄えにすることができる。
【００３９】
また、図５に示すように、ズボン１０の後ポケット１２に入れた状態で着席しても、収納用内ポケット１１の位置が後ポケット１２の開口部側に位置しているので、携帯電話２０が臀部で潰すことが生ぜず、また、臀部の丸み部分を避けた上方位置にあることで携帯電話２０が湾曲することが少なくなる。
【００４０】
以上のように、本実施形態における収納用内ポケット１１は、座った状態において携帯電話２０が湾曲するのを防止することができる。しかも、携帯電話２０を挿入した状態でも収納用内ポケット１１が外から見えない構造を有するので、通常のズボン１０に近い見栄えにすることができる。
【符号の説明】
【００４１】
１０  ズボン
１１  収納用内ポケット
１２  後ポケット
１３  後身頃
１４  ひだ折り部
１５  本体
１６  底部側縁
１７  周縁側部
１８ａ、１８ｂ  開口部
１９ａ  熱圧着テープ
１９ｂ  熱圧着布
２０  携帯電話
【図１】
0003173538.tif 000003
【図２】
0003173538.tif 000004
【図３】
0003173538.tif 000005
【図４】
0003173538.tif 000006
【図５】
0003173538.tif 000007
【図６】
0003173538.tif 000008
【図７】
0003173538.tif 000009